(57)【要約】【課題】閉じ状態で表面をフラットな面とすることができると共に、部品点数が少なく、単純でコスト安な建具とする。【解決手段】枠体３にスライド障子５とスイング障子６を取り付け、このスイング障子６を閉じ姿勢と開き姿勢とに亘って面外方向に揺動自在とし、このスイング障子６が閉じ姿勢でスライド障子５が閉じ位置の閉じ状態では、各障子の表面５ａ，６ａが面一に連続してフラットな面となり、前記スイング障子６が開き姿勢のときにはスライド障子５をスイング障子６と干渉せずに面内方向に移動して開閉でき、障子を面外方向に平行移動する部品が不要であるので、部品点数が少なく、単純でコスト安な建具とする。【選択図】図４
2012193586.tif 000002
【特許請求の範囲】
【請求項１】
枠体に設けられ、面内方向に移動するスライド障子と、面外方向に揺動するスイング障子を備え、
前記スイング障子は、その上部又は下部を支点として閉じ姿勢と開き姿勢とに亘って面外方向に揺動自在で、該スイング障子が閉じ姿勢のときには、そのスイング障子の表面とスライド障子の表面が面一に連続し、開き姿勢のときには、そのスイング障子とスライド障子が面外方向に離隔し、
前記スライド障子が閉じ位置で、スイング障子が閉じ姿勢のときに、スライド障子の召合せ部とスイング障子の召合せ部が連続した閉じ状態となるようにしたことを特徴とする建具。
【請求項２】
前記スイング障子を、開き姿勢で面内方向に移動できるようにした請求項１記載の建具。
【請求項３】
前記枠体に、前記スイング障子の上部を面外方向に揺動自在で、かつ面内方向に移動自在に支持し、
そのスイング障子は、自重によって開き位置に揺動して保持されると共に、外力を加えることで閉じ姿勢に揺動するようにした請求項１記載の建具。
【請求項４】
前記スイング障子の下部を閉じ姿勢で保持する保持手段を設けた請求項３記載の建具。
【請求項５】
前記枠体の下部と、スイング障子の下部とに亘って、開き姿勢のスイング障子の下部を面内方向に移動自在にガイドする補助ガイド手段を設けた請求項３又は４記載の建具。
【請求項６】
前記枠体の上部に、上案内部材と、その上案内部材よりも下方の障子支持面と、上案内部材よりも面外方向一側寄りの支持部材を設け、
前記スライド障子の上部に設けた上支承部材を前記上案内部材に沿って面内方向に移動自在とすると共に、このスライド障子の裏面上部を前記障子支持面と対向し、
前記スイング障子の上部における当該スイング障子の重心よりも面外方向一側寄りに被支持部材を設け、この被支持部材を前記支持部材に面外方向に揺動自在で、かつ面内方向に移動自在に支持することで、スイング障子は自重で面外方向一側寄りの開き姿勢に揺動し、外力を加えることで面外方向他側寄りの閉じ姿勢に揺動するようにし、
前記スイング障子が閉じ姿勢のときに、そのスイング障子の裏面上部が前記障子支持面と対向するようにした請求項３〜５いずれか１項記載の建具。
【発明の詳細な説明】
【技術分野】
【０００１】
本発明は、カーテンウォールのインナースキン、室内間仕切りなどに使用する引き戸タイプの建具に関する。
【背景技術】
【０００２】
従来、建物の外壁を構成するカーテンウォールとしては、特許文献１に開示したように、アウタースキンとインナースキンを備え、そのアウタースキンとインナースキンとの間に空気層を有したカーテンウォールが知られている。
前述のカーテンウォールにおいては、空気層内の清掃や、その空気層に設けたブラインドの点検等のために、インナースキンとして開閉自在な引き戸タイプの建具、例えば引き違い戸を用いることがある。
通常一般の引き違い戸は、一方の障子と他方の障子を開き位置と閉じ位置とに亘って面内方向に移動して開き状態と閉じ状態とするもので、その一方の障子と他方の障子が面外方向に位置がずれているから、両方の障子を閉じ位置とした閉じ状態で、一方の障子の召合せ部と他方の障子の召合せ部が面外方向に位置がずれ、段差が生じ、引き違い戸の表面をフラットな面にできず、インナースキンの見栄えが悪いものとなる。
【０００３】
従来、一方の障子と他方の障子を閉じ位置において、面外方向に同一の位置と面外方向に異なる位置とに亘って面外方向に平行移動自在とし、閉じ状態で、表面を段差のないフラット面にできると共に、一方の障子と他方の障子を開き位置に向けて面内方向に移動できるようにした引き違い戸が提案されている。
例えば、特許文献２に開示したように、一方の障子の上部と下部にガイドとローラを設け、他方の障子の上部と下部にもガイドとローラを設け、そのガイド、ローラを上下の案内部材のガイド溝に沿って面内方向に閉じ位置と開き位置とに亘って移動自在とし、上下の案内部材の面内方向中間部に摺動部材を面外方向に移動自在に設け、召合せ部寄りに設けたガイド、ローラを摺動部材とともに面外方向に移動できるようにし、前記各ガイド溝の面外方向一端寄りを面外方向に折曲し、戸先寄りに設けたガイド、ローラを面外方向に移動できるようにすることで、一方の障子と他方の障子を閉じ位置において面外方向に平行移動できるようにした引き違い戸が提案されている。
この引き違い戸をインナースキンに使用すれば、閉じ状態で一方の障子の表面と他方の障子の表面が面一となり、インナースキンの表面をフラットな面とすることができるから、見栄えが良いものにできる。
【先行技術文献】
【特許文献】
【０００４】
【特許文献１】特開２００２−２５６６３７号公報
【特許文献２】特公平８−２３２４５号公報
【発明の概要】
【発明が解決しようとする課題】
【０００５】
前述した従来の引き違い戸は、障子を面外方向に平行移動するので、障子の上部と下部を面外方向に移動可能に支承しなければならず、上下の案内部材の面内方向中間部に摺動部材をそれぞれ設けると共に、上下の案内部材のガイド溝の面内方向一端寄りをそれぞれ面外方向に折曲しているから、部品点数が多く、複雑でコスト高である。
【０００６】
本発明の目的は、開閉できると共に、閉じ状態で表面をフラットな面にでき、しかも部品点数が少なく、単純でコスト安の建具とすることである。
【課題を解決するための手段】
【０００７】
本発明は、枠体に設けられ、面内方向に移動するスライド障子と、面外方向に揺動するスイング障子を備え、
前記スイング障子は、その上部又は下部を支点として閉じ姿勢と開き姿勢とに亘って面外方向に揺動自在で、該スイング障子が閉じ姿勢のときには、そのスイング障子の表面とスライド障子の表面が面一に連続し、開き姿勢のときには、そのスイング障子とスライド障子が面外方向に離隔し、
前記スライド障子が閉じ位置で、スイング障子が閉じ姿勢のときに、スライド障子の召合せ部とスイング障子の召合せ部が連続した閉じ状態となるようにしたことを特徴とする建具である。
【０００８】
本発明においては、前記スイング障子を、開き姿勢で面内方向に移動できるようにできる。
このようにすれば、閉じ状態でスイング障子により閉塞されていた部分を開放できる。
【０００９】
本発明においては、前記枠体に、前記スイング障子の上部を面外方向に揺動自在で、かつ面内方向に移動自在に支持し、
そのスイング障子は、自重によって開き位置に揺動して保持されると共に、外力を加えることで閉じ姿勢に揺動するようにできる。
このようにすれば、開き姿勢のスイング障子に面内方向の力を加えるだけで移動できるから、そのスイング障子を簡単に面内方向に移動できる。
【００１０】
本発明においては、前記スイング障子の下部を閉じ姿勢で保持する保持手段を設けることができる。
このようにすれば、自重で開き姿勢に揺動するスイング障子を閉じ姿勢で確実に保持することができる。
【００１１】
本発明においては、前記枠体の下部と、スイング障子の下部とに亘って、開き姿勢のスイング障子の下部を面内方向に移動自在にガイドする補助ガイド手段を設けることができる。
このようにすれば、開き姿勢のスイング障子を面外方向に振れ動くことなく、安定して面内方向に移動できる。
【００１２】
本発明においては、前記枠体の上部に、上案内部材と、その上案内部材よりも下方の障子支持面と、上案内部材よりも面外方向一側寄りの支持部材を設け、
前記スライド障子の上部に設けた上支承部材を前記上案内部材に沿って面内方向に移動自在とすると共に、このスライド障子の裏面上部を前記障子支持面と対向し、
前記スイング障子の上部における当該スイング障子の重心よりも面外方向一側寄りに被支持部材を設け、この被支持部材を前記支持部材に面外方向に揺動自在で、かつ面内方向に移動自在に支持することで、スイング障子は自重で面外方向一側寄りの開き姿勢に揺動し、外力を加えることで面外方向他側寄りの閉じ姿勢に揺動するようにし、
前記スイング障子が閉じ姿勢のときに、そのスイング障子の裏面上部が前記障子支持面と対向するようにできる。
このようにすれば、スライド障子とスイング障子を同一の障子とすることができる。
【発明の効果】
【００１３】
本発明によれば、スイング障子を開き姿勢とすることでスライド障子を面内方向に移動して開閉できる。
前記スイング障子を閉じ姿勢に揺動すると共に、スライド障子を閉じ位置とした閉じ状態では、スイング障子の表面とスライド障子の表面が面一に連続するから、閉じ状態で表面をフラットな面にできる。
しかも、スライド障子を面内方向に移動し、スイング障子を面外方向に揺動すれば良く、障子を面外方向に平行に移動しなくとも良いので、部品点数が少なく、単純でコスト安とすることができる。
【図面の簡単な説明】
【００１４】
【図１】カーテンウォールのインナースキン部分の内観図である。
【図２】図１のＡ−Ａ拡大断面図である。
【図３】図１のＢ−Ｂ拡大断面図である。
【図４】スイング障子が開き姿勢でスライド障子が開き位置の断面図である。
【図５】図２の障子上部取付部分の拡大図である。
【図６】図３の障子上部取付部分の拡大図である。
【図７】図４の障子上部取付部分の拡大図である。
【図８】補助ガイド手段部分の断面図である。
【図９】図８のＣ−Ｃ断面図である。
【発明を実施するための形態】
【００１５】
図１〜図４に示すように、カーテンウォールはインナースキン１とアウタースキン２を備え、そのインナースキン１は枠体３の面外方向一側寄り（室内側寄り）に設けてあると共に、アウタースキン２は枠体３の面外方向他側寄り（室外側寄り）に設けてあり、そのインナースキン１とアウタースキン２との間に空気層４を有している。
前記インナースキン１は、面内方向に移動するスライド障子５と、面外方向に揺動するスイング障子６を備え、このインナースキン１が本発明の建具である。
【００１６】
前記スライド障子５は面外方向に動くことなく、図２に示す垂直な姿勢を維持して面内方向に移動する。例えば、枠体３の上部に設けた上案内部材７と下部に設けた下案内部材８に沿って面内方向に移動する。
前記スイング障子６は、その上部又は下部を支点として閉じ姿勢と開き姿勢に揺動する。例えば、上部を支点として図３に実線で示す面外方向他側寄りの閉じ姿勢と、図３に仮想線で示す面外方向一側寄りの開き姿勢とに亘って面外方向に揺動自在である。
このスイング障子６が閉じ姿勢のときには、そのスイング障子６の表面６ａとスライド障子５の表面５ａが面一に連続し、インナースキン１（建具）の表面はフラットな面である。前述の表面５ａ，６ａは面外方向一側面（室内側面）である。
【００１７】
前記スイング障子６が開き姿勢のときには、スライド障子５とスイング障子６が面外方向に離隔し、スライド障子５がスイング障子６と干渉せずに面内方向に移動できる。例えば、図４に示すように、そのスイング障子６の裏面６ｂはスライド障子５の表面５ａよりも面外方向一側寄りに位置し、スイング障子６とスライド障子５が干渉せずに、スライド障子５をスイング障子６に向けて面内方向に移動できるから、図４に示すように、スライド障子５をスイング障子６の裏面６ｂと対向した開き位置とすることができる。
前記スライド障子５が閉じ位置でスイング障子６が閉じ姿勢のときには、図１に示すようにスライド障子５の召合せ部５ｂとスイング障子６の召合せ部６ｃが直接又は緩衝材等を介して接し、召合せ部５ｂ，６ｃが連続した閉じ状態となる。
【００１８】
このようであるので、スライド障子５を閉じ位置と開き位置に亘って面内方向に移動して開閉できる。
前記スライド障子５を閉じ位置、スイング障子６を閉じ姿勢とした閉じ状態ではスライド障子５の表面５ａとスイング障子６の表面６ａを面一に連続してフラットな面となる。
【００１９】
しかも、スライド障子５を面内方向に移動自在とし、スイング障子６を面外方向に揺動自在とすれば良く、障子を面外方向に平行移動するための部品が不要で、上案内部材７、下案内部材８は直線状で良く、障子を面外方向に平行移動するために折曲させる必要がないから、部品点数が少なく、単純でコスト安とすることができる。
【００２０】
前述のように、スライド障子５を開き位置とすることで、閉じ状態においてスライド障子５で閉塞されていた部分を開放し、その開放部分から空気層４内の点検等を実施することができるから、前述のスイング障子６は面内方向に移動しなくとも良い。
この場合には、スイング障子６の上部又は下部を枠体３にヒンジ等で面外方向に揺動自在に取り付けることができる。
しかし、スイング障子６が面内方向に移動しないと、そのスイング障子６で閉塞されていた部分を開放できないから、空気層４内のスイング障子６と対向した部分の点検等がやりづらいことがある場合には、スイング障子６を面内方向に移動自在とし、閉じ状態においてスイング障子６で閉塞されていた部分を開放できるようにする。
【００２１】
例えば、スイング障子６の上部を、枠体３に設けた支持部材９に開き姿勢と閉じ姿勢に亘って面外方向に揺動自在で、かつ面内方向に移動自在に支持する。
このようにすれば、スイング障子６を開き姿勢に揺動した状態で、そのスイング障子６を面内方向に移動し、スイング障子６をスライド障子５の面外方向一側方に位置させることによって、スイング障子６で閉塞されていた部分を開放することができる。
【００２２】
前記スイング障子６は外力を加えることで開き姿勢と閉じ姿勢に揺動するようにしても良いが、自重で開き姿勢に保持されると共に、外力を加えることで閉じ姿勢に揺動できるようにしても良い。
例えば、図３、図４に示すように、スイング障子６の上部を、枠体３に設けた支持部材９に開き姿勢と閉じ姿勢に亘って面外方向に揺動自在に支持し、その支持部とスイング障子６の重心位置の関係を、そのスイング障子６が自重によって開き姿勢に揺動して保持されるようにし、スイング障子６に面外方向他側方に向かう外力を加えることで閉じ姿勢に揺動できるようにしてある。
【００２３】
このようにすれば、スイング障子６を開き姿勢として面内方向に移動するときに、スイング障子６に面内方向に向かう力（移動力）を加えるだけで良いので、スイング障子６を簡単に面内方向に移動することができる。
【００２４】
次に、各部の実施の形態を詳細に説明する。
図１〜図４に示すように、インナースキン１とアウタースキン２はカーテンウォールの枠体３を構成する上横枠材３０と下横枠材３１に取り付けられ、カーテンウォールの窓部を構成する。下横枠材３１の下方にペリメータ１０の上横材１１が位置し、上横枠材３０に天井１２が接している。
前記上横枠材３０の面外方向中間部に上案内部材７が設けてあると共に、面外方向一側部に支持部材９が設けてある。
この上案内部材７と支持部材９は面外方向に離隔していると共に、略同一高さ位置である。
前記上横枠材３０の面外方向他側部にアウタースキン２の上部が取り付けてある。
前記下横枠材３１の面外方向寸法は上横枠材３０の面外方向寸法よりも小さく、その下横枠材３１の面外方向一側部に下案内部材８が設けてあると共に、面外方向他側部にアウタースキン２の下部が取り付けてある。
この下案内部材８は上案内部材７と面外方向にほぼ同一位置である。
【００２５】
前記スライド障子５の上部に設けた上支承部材５０が上案内部材７に沿って面内方向に移動自在に接し、スライド障子５の下部に設けた下支承部材５１が下案内部材８に沿って面内方向に移動自在に接している。
この実施の形態では、上案内部材７は上向きのレールで、上支承部材５０は戸車で、スライド障子５の上部に上ブラケット５２で取り付けてあり、この戸車がレールに接することで、スライド障子５の上部が上横枠部材３０の面外方向中間部に面内方向に走行自在に吊り下げてある。
前記下案内部材８は下向きのガイド溝を有し、下支承部材５１はローラで、スライド障子５の下部に取り付けた下ブラケット５３に上向きに取り付けてあり、そのローラがガイド溝内に回転自在に挿入してスライド障子５の下部を面外方向に振れ動くことがないようにガイドしている。
前記上下案内部材７，８と上下支承部材５０，５１は前述のものに限ることはなく、ガイド溝やレール、戸車や摺動子などのようにスライド障子５を面内方向に移動自在に支承するものであれば良い。
【００２６】
前記スイング障子６の上部に被支持部材６０が取り付けてあり、この被支持部材６０が前記支持部材９に面外方向に揺動自在に支持してある。
前記スイング障子６の下部を閉じ姿勢で保持する保持手段が設けてある。
例えば、前記スイング障子６の下部と、枠体３の下部である下横枠材３１とに被保持部材６１と保持部材６２を設け、スイング障子６が閉じ姿勢のときに、そのスイング障子６の下部を下横枠材３１に保持する。
この被保持部材６１と保持部材６２は磁石で、スイング障子６を閉じ姿勢とすることで吸着し、スイング障子６の下部を閉じ姿勢に保持し、スイング障子６の下部を強い力で面外方向一側方に向けて引張ることで離脱する。
前記被保持部材６１と保持部材６２は磁石に限ることはなく、フックとフック受け、ラッチとラッチ受け、ビスとビス穴、レバーとレバー受け等でも良い。
【００２７】
このようにすることで、スイング障子６の下部を被保持手段６１と保持手段６２で下横枠材３１に保持することで、自重で開き姿勢に揺動するスイング障子６を閉じ姿勢とすることができる。
しかも、被保持手段６１と保持手段６２を離脱することでスイング障子６を開き姿勢に揺動することができる。
【００２８】
前記上横枠材３０は図５〜図７に示すように、面外方向一側寄りに下向き凹部３２を有し、その下向き凹部３２の面外方向他側内面３２ａにおける上下中間部に上案内部材７が設けられ、その上案内部材７よりも下方に障子支持面３３を有し、その障子支持面３３に上横シール材３４が面外方向一側方に向けて装着してある。
前記下向き凹部３２の面外方向一側内面３２ｂに支持部材９が設けてある。
前記スライド障子５は図５に示すように、ガラス板５４の上端面と面外方向一側面の上部に亘って上枠材５５を面内方向全長に亘って取り付け、その上枠材５５の面内方向の複数位置に上ブラケット５２を固着して取り付け、その上ブラケット５２に上支承部材５０として戸車を取り付け、その戸車を上案内部材７としての上向きのレールに接してスライド障子５の上部を面内方向に移動自在に支承している。
そして、ガラス板５４の面外方向他側面、つまりスライド障子５の裏面５ｃの上部が前記障子支持面３３と対向し、上横シール材３４と接して障子支持面３３で支持される。
【００２９】
前記スイング障子６は図６に示すように、スライド障子５と同様にガラス板６３の上端面と面外方向一側面の上部に亘って上枠材６４を取り付けてある。
前記上枠材６４の面内方向複数位置に上ブラケット６５を面外方向一側方に向けて固着して取り付け、この上ブラケット６５に被支持部材６０として戸車を取り付けてある。
この戸車が支持部材９としての上向きのレールに接し、スイング障子６の上部が面外方向に揺動自在で面外方向に移動自在に支持されている。
このように、被支持部材６０としての戸車は、スイング障子６の重心よりも面外方向一側寄りであるので、スイング障子６の支持中心（戸車と上向きレールの接触部）６Ａはスイング障子６の重心よりも面外方向一側寄りに位置し、スイング障子６は自重によって図６に仮想線、図７に実線に示すように、前述の支持中心６Ａを支点とし、垂直姿勢に対して下部が上部よりも面外方向一側寄りとなるように斜めの開き姿勢に揺動する。
【００３０】
前述のように、スイング障子６が斜めの開き姿勢のときに、図７に示すようにスイング障子６の上部（ガラス板６３の上部、上枠材６４、上ブラケット６５）がスライド障子５の上部（ガラス板５４の上部、上枠材５５、上ブラケット５２）よりも面外方向一側寄りで、スライド障子５とスイング障子６を相互に面内方向に移動しても干渉しないようにしてある。
【００３１】
図６に示すように、前記スイング障子６が閉じ姿勢のときにスイング障子６の上部が上案内部材７と干渉することがなく、ガラス板６３の面外方向他側面、つまりスイング障子６の裏面６ｂが前記上横枠材３０の障子支持面３３と対向し、前述の上横シール材３４と接して障子支持面３３で支持される。
このように、上案内部材７よりも下方に障子支持面３３を形成し、この障子支持面３３にスライド障子５の裏面５ｃ、閉じ姿勢のスイング障子６の裏面６ｂを対向させたので、面外方向寸法（見込み方向）が同一のスライド障子５とスイング障子６を用い、スイング障子６を閉じ姿勢としたときに、そのスイング障子６の表面６ａとスライド障子５の表面５ａを面一に連続したフラットな面にでき、スライド障子５とスイング障子６を同一の障子とすることができる。
【００３２】
前述のように、被支持部材６０を支持部材９に沿って面内方向に移動することで、開き姿勢のスイング障子６を面内方向に移動するときに、そのスイング障子６が面外方向に振れ動き不安定となる場合には、スイング障子６の下部を面内方向に移動自在にガイドする補助ガイド手段を設け、スイング障子６が面外方向に振れ動かないようにし、安定して面内方向に移動できるようにする。
例えば、図８と図９に示すように、スイング障子６の下部に補助支承部材７０を設け、枠体３の下部である下横枠材３１に補助案内部材７１を設ける。
スイング障子６が開き姿勢のときに補助支承部材７０が補助案内部材７１に沿って面内方向に移動自在となると共に、スイング障子６が閉じ姿勢のときには補助支承部材７０が補助案内部材７１よりも面外方向他側寄りに移動するようにする。
【００３３】
前記補助支承部材７０は、スイング障子６の下部に取り付けたブラケット７２に下向きに設けたローラで、前記補助案内部材７１は面外方向一側縦板７３と他側縦板７４と底板７５で上向きコ字状のガイド溝で、このガイド溝は前記下案内部材８である下向きコ字状のガイド溝よりも下方で、かつ面外方向一側寄りに位置し、スライド障子５の下支承部材５１が干渉しないようにしてある。
前記面外方向他側縦板７４のローラと対向した部分が切欠きされ、その切欠き部７６を通りローラがガイド溝内に出入り自在であるから、スイング障子６が開き姿勢のときにはローラがガイド溝内に嵌まり合い、スイング障子６が閉じ姿勢のときにはローラがガイド溝から抜け出して図８に仮想線で示すように、下横枠材３１の下案内部材８よりも下方に位置する。
前記ガイド溝の底板７５と連続した横板７７が、カーテンウォールのペリメータ１０の上横材１１に接している。
【００３４】
前記補助ガイド手段は前述のものに限ることはなく、開き姿勢のスイング障子６の下部を面内方向に移動自在にガイドし、そのスイング障子６を閉じ姿勢に揺動できるものであれば良い。
例えば、ガイド溝（補助案内部材７１）を下横枠材３１のガイド溝（下案内部材８）の下方位置に設け、このガイド溝に嵌まり込むローラ（補助支承部材７０）をステーに取り付け、そのステーをスイング障子６の下部に面外方向に揺動自在に連結し、スイング障子６を開き姿勢とすることでステーが面外方向一側方に向かうように揺動し、閉じ姿勢とすることでステーがスイング障子６の下部と略平行となるように揺動する。
【００３５】
前述の説明では、スイング障子６を面外方向一側方に揺動して開き姿勢としたが、スイング障子６を面外方向他側方（室外側）に揺動して開き姿勢としても良い。
例えば、スイング障子６の上部を面外方向に揺動自在に支持し、面外方向他側方に揺動することで開き姿勢とし、そのスイング障子６の表面６ａをスライド障子５の裏面よりも面外方向他側寄りとすることで、スライド障子５をスイング障子６と干渉せずに面内方向に移動できるようにする。
【００３６】
前述の説明では、カーテンウォールのインナースキンとしたが、室内間仕切りなどにも利用できることは勿論である。
また、スライド障子５とスイング障子６を交互に設けても良いし、複数のスライド障子５ごとにスイング障子６を設けても良い。
【符号の説明】
【００３７】
１…インナースキン、２…アウタースキン、３…枠体、４…空気層、５…スライド障子、５ａ…表面、５ｂ…召合せ部、５ｃ…裏面、６…スイング障子、６ａ…表面、６ｂ…裏面、７…上案内部材、８…下案内部材、９…支持部材、５０…上支承部材、５１…下支承部材、６０…被支持部材、６１…被保持部材、６２…保持部材、７０…補助支承部材、７１…補助案内部材。
【図１】
2012193586.tif 000003
【図２】
2012193586.tif 000004
【図３】
2012193586.tif 000005
【図４】
2012193586.tif 000006
【図５】
2012193586.tif 000007
【図６】
2012193586.tif 000008
【図７】
2012193586.tif 000009
【図８】
2012193586.tif 000010
【図９】
2012193586.tif 000011